(57)【要約】  コンテンツを受信し、コンテンツを記録装置に記録する。また、コンテンツが記録される期間において、コンテンツが表示装置に表示される第１期間と表示されない第２期間とを示す第１情報を、コンテンツに関連付けて記録する。そして、第１情報を用いて、記録されたコンテンツの一部に対して、コンテンツの一部の削除処理、又は、コンテンツの一部の記録媒体への書き込み処理、を含む複数の処理のいずれかの処理を行う対象として、第１期間、及び／又は、第２期間のいずれかを選択するための選択画面を表示装置に表示する。
2011001468.tif 000002
【特許請求の範囲】
【請求項１】
コンテンツを受信し、前記コンテンツを記録装置に記録する工程と、
前記コンテンツが記録される期間において、前記コンテンツが表示装置に表示される第１期間と表示されない第２期間とを示す第１情報を、前記コンテンツに関連付けて記録する工程と、
第１情報を用いて、記録された前記コンテンツの一部に対して、前記コンテンツの一部の削除処理、又は、前記コンテンツの一部の記録媒体への書き込み処理、を含む複数の処理のいずれかの処理を行う対象として、第１期間、及び／又は、第２期間のいずれかを選択するための選択画面を前記表示装置に表示する表示工程と、
を有するコンテンツの処理方法。
【請求項２】
前記記録装置に記録された前記コンテンツを再生する工程と、
前記コンテンツが再生された第３期間と再生されていない第４期間とを示す第２情報を、前記コンテンツに関連付けて記録する工程と、を有し、
前記表示工程は、更に、第２情報を用いて、前記複数の処理のいずれかの処理を行う対象として、第３期間、及び／又は、第４期間のいずれかを選択するための選択画面を前記表示装置に表示する、請求項１に記載のコンテンツの処理方法。
【請求項３】
前記表示工程は、記録された前記コンテンツの一部に対して、前記複数の処理のいずれかの処理を行う対象として、全ての第１期間、又は、全ての第２期間を一括して選択するための選択画面を前記表示装置に表示する、請求項１又は２に記載のコンテンツの処理方法。
【請求項４】
前記表示工程は、記録された前記コンテンツの一部に対して、前記複数の処理のいずれかの処理を行う対象として、全ての第３期間、又は、全ての第４期間を一括して選択するための選択画面を前記表示装置に表示する、請求項２又は３に記載のコンテンツの処理方法。
【請求項５】
表示装置に接続可能な記録装置であって、
コンテンツを受信する受信部と、
前記コンテンツを記録するとともに、前記コンテンツが記録される期間において、前記コンテンツが前記表示装置に表示される第１期間と表示されない第２期間とを示す第１情報を、前記コンテンツに関連付けて記録する記録部と、
第１情報を用いて、記録された前記コンテンツの一部に対して、前記コンテンツの一部の削除処理、又は、前記コンテンツの一部の記録媒体への書き込み処理、を含む複数の処理のいずれかの処理を行う対象として、第１期間、及び／又は、第２期間のいずれかを選択するための選択画面を、前記表示装置に表示するように制御する制御部と、
を有する記録装置。
【請求項６】
前記記録部は、更に、前記記録装置に記録された前記コンテンツが再生された第３期間と再生されていない第４期間とを示す第２情報を、前記コンテンツに関連付けて記録し、
前記制御部は、更に、第２情報を用いて、前記複数の処理のいずれの処理を行う対象として、第３期間、及び／又は、第４期間のいずれかを選択するための選択画面を、前記表示装置に表示するように制御する、請求項５に記載の記録装置。
【請求項７】
前記制御部は、記録された前記コンテンツの一部に対して、前記複数の処理のいずれかの処理を行う対象として、全ての第１期間、又は、全ての第２期間を一括して選択するための選択画面を前記表示装置に表示するように制御する、請求項５又は６に記載の記録装置。
【請求項８】
前記制御部は、記録された前記コンテンツの一部に対して、前記複数の処理のいずれかの処理を行う対象として、全ての第３期間、又は、全ての第４期間を一括して選択するための選択画面を前記表示装置に表示するように制御する、請求項６又は７に記載の記録装置。
【請求項９】
表示装置に接続可能な記録装置内のコンピュータに、前記記録装置が受信するコンテンツの処理を実行させるためのプログラムであって、
受信するコンテンツを前記記録装置に記録する手順と、
前記コンテンツが記録される期間において、前記コンテンツが前記表示装置に表示される第１期間と表示されない第２期間とを示す第１情報を、前記コンテンツに関連付けて前記記録装置に記録する手順と、
第１情報を用いて、記録された前記コンテンツの一部に対して、前記コンテンツの一部の削除処理、又は、記録された前記コンテンツの一部の記録媒体への書き込み処理、を含む複数の処理のいずれかの処理を行う対象として、第１期間、及び／又は、第２期間のいずれかを選択するための選択画面を前記表示装置に表示する表示手順と、
を含むプログラム。
【請求項１０】
記録された前記コンテンツを、前記記録装置が前記コンテンツを再生する手順と、
前記コンテンツが再生された第３期間と再生されていない第４期間とを示す第２情報を、前記コンテンツに関連付けて前記記録装置に記録する手順と、を含み、
前記表示手順は、更に、第２情報を用いて、前記複数の処理のいずれかの処理を行う対象として、第３期間、及び／又は、第４期間のいずれかを選択するための選択画面を前記表示装置に表示する、請求項９に記載のプログラム。
【請求項１１】
前記表示手順は、記録された前記コンテンツの一部に対して、前記複数の処理のいずれかの処理を行う対象として、全ての第１期間、又は、全ての第２期間を一括して選択するための選択画面を前記表示装置に表示する、請求項９又は１０に記載のプログラム。
【請求項１２】
前記表示手順は、記録された前記コンテンツの一部に対して、前記複数の処理のいずれかの処理を行う対象として、全ての第３期間、又は、全ての第４期間を一括して選択するための選択画面を前記表示装置に表示する、請求項１０又は１１に記載のプログラム。
【請求項１３】
請求項９乃至１２のいずれかに記載のプログラムが記録された記録媒体。
【発明の詳細な説明】
【技術分野】
【０００１】
本発明は、デジタルコンテンツを処理する技術に関する。
【背景技術】
【０００２】
デジタルテレビ放送を受信する機能を有する携帯電話機において、ユーザがテレビ放送の視聴中に、意に反してその視聴を中断したとしても、後でそのテレビ放送を視聴できるようにするため、ユーザがテレビ放送を視聴中であるか否かを判別する技術が知られている。
【先行技術文献】
【特許文献】
【０００３】
【特許文献１】特開２００８−１５４１２６号公報
【発明の概要】
【発明が解決しようとする課題】
【０００４】
ところで、ＨＤＤ（Hard Disk Drive）レコーダなどの記録装置がコンテンツを記録する場合、記録装置は、記録可能な容量を超えるデータ量のコンテンツを記録することはできない。そのため、ユーザは、記録装置に記録したコンテンツのうち、不要なコンテンツを削除する、又は、必要なコンテンツをＤＶＤ（Digital Versatile Disk）などの記録媒体に書き込むなどの処理を適宜行う必要がある。ユーザが、コンテンツ単位で、記録装置からのコンテンツの削除や記録媒体へのコンテンツの書き込みを行う作業は、比較的簡単に行うことができる。
しかし、例えば、記録装置がコンテンツを受信し、そのコンテンツを記録している期間に、ユーザがコンテンツの一部を視聴した場合、記録装置のデータ量を減らすため、後に、ユーザがコンテンツの中で既に視聴した部分のみの削除処理を行うことがある。また、記録装置がそのコンテンツを記録している期間に、ユーザがそのコンテンツのうち視聴したい部分のみを視聴した場合には、後に、ユーザがコンテンツの中で既に視聴した部分を記録媒体に書き込む書き込み処理を行うこともある。
このように、ユーザが、記録装置に記録済みのコンテンツの一部を対象として編集作業をする場合、従来、ユーザ自身が、コンテンツの早送りや巻き戻しを行いながら、コンテンツの中で既に視聴した部分、又は視聴していない部分の特定を行う必要があった。そのため、従来のコンテンツの編集作業は、手間がかかっていた。【０００５】
そこで、コンテンツの編集作業において、ユーザの負担を低減することを目的とする。
【課題を解決するための手段】
【０００６】
第１の観点では、コンテンツの処理方法が提供される。このコンテンツの処理方法は、コンテンツを受信し、前記コンテンツを記録装置に記録する。前記コンテンツが記録される期間において、前記コンテンツが表示装置に表示される第１期間と表示されない第２期間とを示す第１情報を、前記コンテンツに関連付けて記録する。第１情報を用いて、記録された前記コンテンツの一部に対して、前記コンテンツの一部の削除処理、又は、前記コンテンツの一部の記録媒体への書き込み処理、を含む複数の処理のいずれかの処理を行う対象として、第１期間、及び／又は、第２期間のいずれかを選択するための選択画面を前記表示装置に表示する。
第２の観点では、上記コンテンツの処理方法を行う記録装置が提供される。
第３の観点では、上記コンテンツの処理方法を記録装置内のコンピュータに実行させるプログラムが提供される。
第４の観点では、上記コンテンツの処理方法を記録装置内のコンピュータに実行させるプログラムが記録された記録媒体が提供される。
【発明の効果】
【０００７】
開示のコンテンツの処理方法、記録装置、プログラム、及び記録媒体によれば、コンテンツの編集作業において、ユーザの負担を低減することができる。
【図面の簡単な説明】
【０００８】
【図１】コンテンツを処理するシステムの概略構成の一例を示す図である。
【図２】（ａ）は、受信するコンテンツを示し、（ｂ）は、コンテンツが記録される期間を示し、（ｃ）は、コンテンツが表示される期間を示し、（ｄ）は、第１情報の一例を示す。
【図３】コンテンツを処理する方法の一例を示す図である。
【図４】編集開始時の表示装置の表示の一例を示す図である。
【図５】選択画面の一例を示す図である。
【図６】コンテンツを処理する記録装置の構成の一例を示す図である。
【図７】選択画面の一例を示す図である。
【図８】（ａ）は、削除処理前のコンテンツを示し、（ｂ）は、削除処理後のコンテンツを示し、（ｃ）は、マージン期間を設定する画面の一例を示す図である。
【図９】（ａ）は、記録したコンテンツを示し、（ｂ）は、コンテンツが記録された期間を示し、（ｃ）は、コンテンツが表示された期間を示し、（ｄ）は、記録されたコンテンツが再生される期間を示す。
【図１０】コンテンツを編集する方法の一例を示す図である。
【図１１】選択画面の一例を示す図である。
【発明を実施するための形態】
【０００９】
以下、コンテンツの処理方法、記録装置の一例を、実施形態に基づいて説明する。なお、以下の各実施形態の説明では、「時刻」は、時刻と映像データが関連付けられているコンテンツ内の、映像データの時間軸上の相対的な位置を特定するために使用される。
＜第１の実施形態＞
本実施形態では、記録装置がデジタル放送を受信してコンテンツを記録し、記録されたコンテンツの編集を行う、コンテンツの処理方法の一例を説明する。
まず、図１を参照して、コンテンツを処理するシステムの概略構成の一例を説明する。図１に示すように、このシステムは、記録装置１００と表示装置２００とを含む。
【００１０】
記録装置１００は、アンテナを備えており、デジタル放送のコンテンツを受信し、記録する。記録装置１００は、例えば、ＨＤＤレコーダ、ＤＶＤレコーダ、ブルーレイディスクレコーダ、録画機能を備えるデジタルテレビジョン装置、デジタルチューナを備えるパーソナルコンピュータなどである。また、記録装置１００は表示装置２００と接続することができ、記録装置１００が受信したコンテンツや記録装置１００に記録されたコンテンツの映像データを表示装置２００に出力することにより、表示装置２００にコンテンツを表示させることができる。
表示装置２００は、記録装置１００から出力されたコンテンツの映像データを用いて、コンテンツを表示する。表示装置２００がコンテンツを表示することにより、ユーザはコンテンツを視聴することができる。表示装置２００は、記録装置１００から出力されたコンテンツのデータを用いてコンテンツを表示することができるものであれば、液晶表示、プラズマ表示等の任意の表示方式を適用することができる。
【００１１】
ここで、図２を参照して、記録装置１００が受信したコンテンツを記録している期間に、表示装置２００によってユーザがそのコンテンツの一部を視聴した場合、記録装置１００が記録するデータについて説明する。図２の横軸は、コンテンツ内の時刻を示す軸である。図２（ａ）は、受信するコンテンツを示す。図２（ａ）に示すように、記録装置１００にコンテンツが記録される期間において、表示装置２００にコンテンツが表示される期間と表示されない期間によって分けられるコンテンツの各部分を、時系列順に、Ｃ１、Ｃ２、Ｃ３…と呼ぶ。また、以下の説明では、記録装置１００にコンテンツが記録される期間において、表示装置２００にコンテンツが表示される期間を「第１期間」と、表示装置２００にコンテンツが表示されない期間を「第２期間」と呼ぶ。
【００１２】
図２（ｂ）は、記録装置１００がコンテンツを受信しながら記録する期間を示す。図２（ｂ）に示す例では、コンテンツ記録がＯＮとなる期間ｔ０〜ｔ３に、記録装置１００が、コンテンツを受信しながら記録することを示す。図２（ｃ）は、記録装置１００がコンテンツを記録している期間に、記録装置１００が記録するコンテンツと同一のコンテンツを、表示装置２００が表示する期間を示す。図２（ｃ）に示す例では、コンテンツ表示がＯＮとなる期間ｔ０〜ｔ１と期間ｔ２〜ｔ３に、記録装置１００が記録するコンテンツと同一のコンテンツを、表示装置２００が表示することを示す。また、コンテンツ表示がＯＦＦとなる期間ｔ１〜ｔ２に、記録装置１００が記録するコンテンツと同一のコンテンツを、表示装置２００が表示しないことを示す。よって、図２（ｃ）に示す例では、期間ｔ０〜ｔ１と期間ｔ２〜ｔ３の二つの第１期間があり、期間ｔ１〜ｔ２の一つの第２期間がある。ここで、ｔ０＜ｔ１＜ｔ２＜ｔ３とする。
なお、記録装置１００が記録するコンテンツと同一のコンテンツを、ユーザが視聴しているか否かは、表示装置２００がそのコンテンツを表示しているか否かにより判断される。
【００１３】
記録装置１００は、コンテンツが記録装置１００に記録される期間において、コンテンツが表示装置２００に表示される期間（第１期間）と表示されない期間（第２期間）とを示す情報（以下、「第１情報」と呼ぶ。）を生成する。図２（ｄ）に、記録装置１００が生成する第１情報の一例を示す。図２（ｄ）に示す例では、第１情報が、期間ｔ０〜ｔ１と期間ｔ２〜ｔ３がそれぞれ第１期間であり、期間ｔ１〜ｔ２が第２期間であることを示す情報を含む。記録装置１００は、例えば、表示装置２００の電源が入っているか否かを示す信号（以下、「第１信号」と呼ぶ。）を表示装置２００から取得することにより、第１情報を生成することができる。生成された第１情報は、コンテンツに関連付けられて、記録装置１００に記録される。
【００１４】
次に、図３を参照して、図２に関連付けたコンテンツの処理方法の一例を説明する。図３は、記録装置１００がコンテンツを受信して記録する期間に、表示装置２００がそのコンテンツの一部を表示した後に、ユーザがコンテンツの編集を行うフローを示す。
まず、記録装置１００は、コンテンツを受信し、そのコンテンツを記録する（ステップＳ１）。本実施形態では、図２（ｂ）を参照して説明したように、記録装置１００は、期間ｔ０〜ｔ３において、コンテンツを受信し、そのコンテンツを記録する。
【００１５】
そして、表示装置２００の電源が入っている場合、記録装置１００は、コンテンツの映像データを表示装置２００に出力する（ステップＳ２）。そして、表示装置２００は、記録装置１００からのコンテンツの映像データを取得し、コンテンツを表示する（ステップＳ３）。なお、表示装置２００の電源が入っていない場合、ステップＳ２、Ｓ３の処理は行われない。本実施形態では、図２（ｃ）を参照して説明したように、表示装置２００は、期間ｔ０〜ｔ１と期間ｔ２〜ｔ３において電源が入っており、記録装置１００が記録するコンテンツと同一のコンテンツを表示する。また、表示装置２００は、期間ｔ１〜ｔ２において電源が入っておらず、記録装置１００が記録するコンテンツと同一のコンテンツを表示しない。
【００１６】
また、記録装置１００は、コンテンツが記録される期間において、表示装置２００がコンテンツを表示する第１期間と表示しない第２期間とを示す情報（第１情報）を生成する（ステップＳ４）。通常、ステップＳ１〜Ｓ４は、ほぼ同時並行で行われる。本実施形態では、記録装置１００は、図２（ｄ）を参照して説明した第１情報を生成する。
時刻ｔ３において、記録装置１００は、コンテンツの記録を終了する（ステップＳ５）。そして、記録装置１００は、生成された第１情報をコンテンツと関連付けて記録する（ステップＳ６）。
【００１７】
その後、記録装置１００は、ユーザの指示入力に従い、記録装置１００に記録されたコンテンツの編集を開始するためのアプリケーションプログラムを起動する（ステップＳ７）。記録装置１００は、このアプリケーションプログラムが起動すると、まず、ユーザがコンテンツに対して行う処理を選択する画面を、表示装置２００に表示させる。図４は、表示装置２００によって表示される、ユーザがコンテンツに対して行う処理を選択する画面の一例を示す図である。ユーザは、例えば、記録装置１００からのコンテンツの削除処理、ＤＶＤなどの記録媒体への書き込み処理、などを含む複数の処理のいずれかを選択することができる。図４に示す例は、ユーザが、記録装置１００からのコンテンツの削除処理を選択した場合を示す。
【００１８】
次に、記録装置１００は、アプリケーションプログラムに従い、第１情報を用いて、図２（ａ）を参照して説明したコンテンツの各部分Ｃ１〜Ｃ３に対して、記録装置１００から削除するか否かをユーザが選択するための画面のデータを生成する（ステップＳ８）。以下、記録されたコンテンツの一部に対して、コンテンツの一部の削除処理、又は、コンテンツの一部の記録媒体への書き込み処理、を含む複数の処理のいずれかの処理を行う対象として、第１期間、及び／又は、第２期間のいずれかを選択するための画面を、「選択画面」と呼ぶ。そして、記録装置１００は、選択画面のデータを表示装置２００に出力する（ステップＳ９）。
【００１９】
表示装置２００は、記録装置１００から選択画面のデータを取得し、選択画面を表示する（ステップＳ１０）。ここで、図５を参照して、表示装置２００が表示する選択画面について説明する。図５は、表示装置２００が表示する選択画面の一例を示す。図５に示す例では、記録装置１００からコンテンツの一部を削除する場合に、ユーザが削除する部分を選択する。本実施形態では、記録装置１００がコンテンツに関連付けて第１情報を記録するため、ユーザは、コンテンツの期間ｔ０〜ｔ１、期間ｔ１〜ｔ２、期間ｔ２〜ｔ３の各部分に対して、記録装置１００から削除するか否かを選択することができる。
そして、記録装置１００は、ユーザが選択したコンテンツの部分の削除処理を行う（ステップＳ１１）。例えば、図５に示す例のように、ユーザが第１期間である期間ｔ０〜ｔ１のみを選択することにより、記録装置１００は、コンテンツのうち期間ｔ０〜ｔ１の部分のみを削除し、期間ｔ１〜ｔ３の部分を記録装置１００に残す。また、ユーザが第１期間である期間ｔ０〜ｔ１と第２期間である期間ｔ１〜ｔ２を選択した場合は、記録装置１００は、コンテンツのうち期間ｔ０〜ｔ２の部分のみを削除し、期間ｔ２〜ｔ３の部分を記録装置１００に残す。
【００２０】
以上説明したように、本実施形態のコンテンツの処理方法では、記録装置１００が第１情報をコンテンツに関連付けて記録する。そのため、本実施形態のコンテンツの処理方法では、コンテンツの中でユーザが既に視聴した部分を、記録装置１００が特定することができる。
そして、記録装置１００は、第１情報を用いて、選択画面を表示装置２００に表示させる。そのため、ユーザ自身がコンテンツの中で既に視聴した部分の特定を行う必要がない。
よって、本実施形態のコンテンツの処理方法によれば、コンテンツの編集作業において、ユーザの負担を低減することができる。
【００２１】
なお、本実施形態では、表示装置２００が、記録装置１００から出力されたコンテンツの映像データを用いて、コンテンツを表示する場合の例を説明した。しかし、記録装置１００が備える受信部とは別に、表示装置２００がデジタル放送のコンテンツを受信する受信部を備えてもよい。この場合、表示装置２００の電源が入っていたとしても、記録装置１００が記録するチャンネルと表示装置２００が表示するチャンネルが異なる場合には、記録装置１００が記録するコンテンツと同一のコンテンツを表示装置２００が表示していないことになる。
そこで、記録装置１００は、例えば、第１信号に加えて、表示装置２００が表示するコンテンツの番組（プログラム）を示す信号（以下、「第２信号」と呼ぶ。）を取得することにより、そのコンテンツを表示しているか否かを判断し、第１情報を生成することができる。
【００２２】
＜第２の実施形態＞
本実施形態では、第１の実施形態で説明したコンテンツの処理方法を実現するための記録装置１００の具体的な構成の一例を説明する。
【００２３】
（記録装置の概略構成）
まず、図６を参照して、コンテンツの処理を行う記録装置１００の構成を説明する。図６に示すように、記録装置１００は、アンテナ１０２と、受信部１０４と、記憶部１０６と、ディスクドライブ装置１０８と、映像インターフェース１１０と、制御部１１２と、入力部１１４と、を備える。これらは、バス１５０によって接続されている。また、記録装置１００は、表示装置２００と接続することができる。
【００２４】
受信部１０４は、アンテナ１０２と接続されている。また、受信部１０４は、デジタル放送の選局、受信、周波数変換、増幅、復調等を行い、コンテンツを受信する。受信部１０４は、例えば、デジタルチューナを含む。
記憶部１０６は、受信部１０４が受信したコンテンツを記録する。記憶部１０６は、例えば、ＨＤＤ、フラッシュメモリなどの不揮発性メモリを含む。また、記憶部１０６は、記録するコンテンツに関連付けて、第１情報を記録することができる。
【００２５】
ディスクドライブ装置１０８は、受信部１０４が受信したコンテンツを記録媒体１２０に記録する。また、ディスクドライブ装置１０８は、記憶部１０６に記録されたコンテンツの全部、又は一部を記録媒体１２０に書き込む。ディスクドライブ装置１０８は、例えば、ＤＶＤドライブ装置、ブルーレイドライブ装置などの周辺機器である。記録媒体１２０として、例えば、ＤＶＤやＢＤ（Blu-ray Disc）を用いることができる。また、ディスクドライブ装置１０８は、コンテンツに関連付けて、第１情報を記録することができる。
なお、受信部１０４が受信したコンテンツを記憶部１０６に保存するか、ディスクドライブ装置１０８を用いて記録媒体１２０に書き込むかは、ユーザが選択することができる。そのため、記憶部１０６とディスクドライブ装置１０８を包括して記録部と呼ぶ。本実施形態では、受信部１０４が受信したコンテンツが記憶部１０６に記録される場合の例を説明する。
【００２６】
映像インターフェース１１０は、記録装置１００と表示装置２００との間で映像データを伝送するためのインターフェースである。映像インターフェース１１０は、例えば、ＨＤＭＩ（High-Definition Multimedia Interface）、ＤＶＩ（Digital Visual Interface）、ＬＶＤＳ（Low voltage
differential signaling）などである。
【００２７】
制御部１１２は、ＣＰＵ（コンピュータ）を主体として含む。制御部１１２は、記憶部１０６がコンテンツを記録する期間内に、映像インターフェース１１０を介して、第１信号を取得することにより、第１情報を生成する。また、制御部１１２は、コンテンツの編集作業を行うためのアプリケーションプログラムを動作させ、ユーザがコンテンツに対して行う処理を選択する画面を、映像インターフェース１１０を介して表示装置２００に表示させる。また、記憶部１０６に記録されたコンテンツの一部に対して、コンテンツの一部の削除処理、又は、コンテンツの一部の記録媒体１２０への書き込み処理などの処理を行う対象として、第１期間、及び／又は、第２期間のいずれかを選択するための選択画面のデータを生成する。そして、制御部１１２は、映像インターフェース１１０を介して、表示装置２００に選択画面を表示させる。また、制御部１１２は、選択画面におけるユーザの選択に応じて、コンテンツの一部の削除処理、又は、コンテンツの一部の記録媒体１２０への書き込み処理などの処理を行う。
【００２８】
入力部１１４は、ユーザからの指示の入力を受ける。例えば、入力部１１４は、記憶部１０６に記録されたコンテンツの編集の開始を指示するための入力や、選択画面において、編集を行う対象となるコンテンツの一部を選択するための入力を受ける。
以上が、本実施形態の記録装置１００の概略構成である。
【００２９】
表示装置２００は、コンテンツを表示することができる。表示装置２００がデジタルチューナを備えるものではない場合、映像インターフェース１１０として、例えば、ＤＶＩを用いることができる。これにより、制御部１１２は、記憶部１０６がコンテンツを記録する期間に、映像インターフェース１１０を介して、第１信号を取得し、これを用いて第１情報を生成することができる。また、表示装置２００がデジタルチューナを備えるものである場合、映像インターフェース１１０として、例えば、ＨＤＭＩを用い、ＨＤＭＩのＣＥＣ（Consumer Electronics Control）機能を用いることができる。これにより、制御部１１２は、記憶部１０６がコンテンツを記録する期間に、映像インターフェース１１０を介して、第１信号と第２信号を取得し、これを用いて第１情報を生成することができる。
本実施形態では、表示装置２００がデジタルチューナを備えるものではなく、記録装置１００から出力されたコンテンツを表示するものである場合の例を説明する。
【００３０】
（コンテンツの処理方法）
続いて、上述した記録装置１００を用いたコンテンツの処理方法を説明する。コンテンツの処理方法の概要は、図３を参照して説明した方法と同様である。そこで、以下の説明では、図３を参照して説明した各ステップの詳細を説明する。
まず、ステップＳ１について説明する。ステップＳ１において、アンテナ１０２はデジタル放送の電波を受信し、受信部１０４は、受信電波から、ユーザによる選択指示に応じて選択される番組（プログラム）の信号を抽出する。そして、記憶部１０６は、受信部１０４によって抽出された番組の信号を記録する。
【００３１】
次に、ステップＳ２及びステップＳ３について説明する。記録装置１００が、コンテンツの記録を行っている間に、ユーザがそのコンテンツの視聴を行う場合、まず、ステップＳ２の処理が行われる。ステップＳ２では、例えば、ＤＶＩにより構成される映像インターフェース１１０が、受信部１０４によって受信されたコンテンツの映像データを、表示装置２００に出力する。そして、ステップＳ３では、表示装置２００が、映像インターフェース１１０から出力されたコンテンツの映像データを取得し、ステップＳ１において受信部１０４が受信したコンテンツと同一のコンテンツを表示する。
【００３２】
次に、ステップＳ４について説明する。ステップＳ４では、制御部１１２は、映像インターフェース１１０から、第１信号を取得する。本実施形態では、制御部１１２は、例えば、表示装置２００の電源が入っているか否かを示す第１信号を、ＤＶＩにより構成される映像インターフェース１１０から、コンテンツの記録が終了するまで、逐次、取得する。そして、制御部１１２は、取得した第１信号を用いて、第１情報を生成する。
【００３３】
次に、ステップＳ５及びステップＳ６について説明する。コンテンツの終了時刻になると、ステップＳ５において、記憶部１０６は、コンテンツの記録を終了する。そして、制御部１１２は、ステップＳ４において生成した第１情報を、コンテンツと関連付けて、記憶部１０６に記録する。
【００３４】
次に、ステップＳ７について説明する。ユーザが、記憶部１０６に記録されたコンテンツの編集を行う場合、例えば、編集作業の開始を指示するための操作入力を行う。ステップＳ７において、まず、制御部１１２は、ユーザからの指示入力に従い、コンテンツの編集を行うためのプログラム（アプリケーションプログラム）を実行する。このプログラムは、予め記憶部１０６などに記録されている。そして、制御部１１２は、図４に示すような、ユーザがコンテンツに対して行う編集処理を選択する画面を表示装置２００に表示させるように、映像インターフェース１１０を制御する。
【００３５】
次に、ステップＳ８からステップＳ１０について説明する。ステップＳ８では、まず、制御部１１２は、編集するコンテンツと関連付けられた第１情報を、記憶部１０６から読み出す。そして、制御部１１２は、第１情報を用いて、図５に示すような選択画面のデータを生成する。ステップＳ９では、映像インターフェース１１０が、制御部１１２によって生成された選択画面のデータを、表示装置２００に出力する。ステップＳ１０では、表示装置２００が、映像インターフェース１１０から出力された選択画面のデータを取得し、選択画面を表示する。
なお、ステップＳ８からステップＳ１０の処理は、予め記憶部１０６などに記録されているプログラムを制御部１１２が実行することにより行われる。
【００３６】
次に、ステップＳ１１について説明する。図５に示すような選択画面において、ユーザがコンテンツの中で削除する部分を選択すると、制御部１１２は、記憶部１０６に記録されたコンテンツの中で、ユーザが選択した部分の削除処理を行う。
以上説明したように、コンテンツの処理方法が行われる。
【００３７】
以上説明したように、本実施形態の記録装置１００は、映像インターフェース１１０を介して、制御部１１２が第１情報を取得し、記憶部１０６が第１情報をコンテンツに関連付けて記録する。そのため、本実施形態の記録装置１００は、コンテンツの中でユーザが既に視聴した部分を特定することができる。
そして、制御部１１２は、第１情報を用いて、選択画面を表示装置２００に表示させる。そのため、ユーザ自身がコンテンツの中で既に視聴した部分の特定を行う必要がない。
よって、本実施形態の記録装置１００によれば、コンテンツの編集作業において、ユーザの負担を低減することができる。
【００３８】
なお、本実施形態では、ユーザが選択可能な複数の処理の一つとして、記憶部１０６に記録したコンテンツの一部を記憶部１０６から削除する場合の例を説明したが、これに限られない。その他の例として、図４を参照して説明したように、例えば、記憶部１０６に記録したコンテンツの一部を記録媒体１２０に書き込む処理を行うこともできる。この場合、図５を参照して説明した選択画面では、記憶部１０６に記録したコンテンツのうち、記録媒体１２０に書き込む部分を選択することができる。
【００３９】
（変形例１）
本実施形態のコンテンツの処理方法では、図５に示すように、全ての第１期間と全ての第２期間のうちのそれぞれに対して、ユーザが記憶部１０６からコンテンツを削除するか否かを、個別に選択できる方法を説明した。しかし、コンテンツが記録される期間に、ユーザが頻繁に表示装置２００の電源のＯＮとＯＦＦを切り替えると、選択画面が煩雑となる。又、記録装置１００が備える受信部とは別に、表示装置２００がデジタル放送のコンテンツを受信する受信部を備えている場合、表示装置２００が表示する番組（プログラム）をユーザが頻繁に変更すると、選択画面が煩雑となる。
このような場合、全ての第１期間、又は、全ての第２期間に対して、一括して処理を選択することができるようにしてもよい。
【００４０】
ここで、図７を参照して、ステップＳ１０において表示装置２００に表示される選択画面の他の例を説明する。制御部１１２は、図７に示すような選択画面を、映像インターフェース１１０を介して、表示装置２００に表示させる。図７に示す例では、コンテンツが記録される期間に、表示装置２００が表示した部分（既視聴部分）、表示装置２００が表示していない部分（未視聴部分）、又は、コンテンツ全体の中から、ユーザが削除する部分を選択することができる。ここで、図７に示す例のように、ユーザが既視聴部分を選択すると、制御部１１２は、第１情報を用いて、図２（ａ）を参照して説明したコンテンツの各部分Ｃ１、Ｃ２、Ｃ３のうち、第１期間の部分であるＣ１とＣ３を一括して削除する。
【００４１】
以上説明したように、図７を参照して説明した選択画面を用いることにより、ユーザは、編集を行うコンテンツの中の全ての第１期間(既視聴部分)、又は、全ての第２期間（未視聴部分）を一括して選択することができる。そのため、コンテンツが記録される期間に、ユーザが頻繁に表示装置２００の電源のＯＮとＯＦＦを切り替えた場合や表示装置２００が表示する番組（プログラム）を変更した場合であっても、簡易な操作により、コンテンツを編集することができる。
【００４２】
（変形例２）
本変形例では、図８を参照して、記録したコンテンツの一部を削除する場合の他の例を説明する。図８（ａ）は、削除処理を行う前のコンテンツの一例を示す。上述した実施形態のコンテンツの処理方法では、図８（ａ）に示すコンテンツの各部分Ｃ１、Ｃ２、Ｃ３のうち、例えば、Ｃ１とＣ３の部分を削除する場合、Ｃ１とＣ３の全ての部分の削除を行う。しかし、ユーザがコンテンツのＣ２の部分を視聴する場合、図８（ｂ）に示すように、コンテンツのＣ２の部分の前後一定期間（以下、「マージン期間」と呼ぶ。）の部分を視聴することにより、Ｃ２の部分のコンテンツの内容を容易に把握できることがある。
【００４３】
そこで、記録装置１００がコンテンツの一部の削除処理を行う場合、コンテンツのうち削除しない部分の前後にマージン期間を設定し、このマージン期間のコンテンツについては削除処理を行わないことが好ましい。図８（ｃ）は、ユーザがマージン期間を設定する際に表示装置２００が表示する画面の一例を示す。例えば、ステップＳ８において表示装置２００が表示する選択画面において、ユーザが削除する部分を選択した後に、記録装置１００は、図８（ｃ）に示す画面を表示装置２００に表示させる。そして、入力部１１４がユーザからマージン期間の入力を受け、マージン期間が設定される。
記録装置１００は、図８（ｂ）に示すように、コンテンツの一部の削除処理を行う際に、設定されたマージン期間の部分のコンテンツの削除を行わない。
【００４４】
以上、図８を参照して説明したように、本変形例の記録装置１００は、コンテンツのうち削除しない部分の前後にマージン期間を設定し、このマージン期間のコンテンツについては削除処理を行わない。そのため、ユーザは、簡易な操作により、コンテンツのうち削除しない部分の内容を、その部分の前後の内容に関連付けて容易に把握することができる。
【００４５】
＜第３の実施形態＞
上述した実施形態では、記録装置１００がデジタル放送を受信してコンテンツを記録し、記録されたコンテンツを編集する方法を説明した。ところで、ユーザは、記録装置１００に記録されたコンテンツの一部を再生して視聴した後に、コンテンツを編集する場合がある。
記録されたコンテンツの一部をユーザが再生して視聴した後に、コンテンツの編集作業を行う場合にも、ユーザの負担を低減することが好ましい。
【００４６】
本実施形態では、記録装置１００がデジタル放送を受信してコンテンツを記録した後に、記録されたコンテンツの一部を再生した場合に、ユーザがコンテンツを編集する方法を説明する。
まず、図９を参照して、記録装置１００に記録されたコンテンツの一部を、記録装置１００が再生した場合、記録装置１００が記録するデータについて説明する。図９の横軸は、コンテンツ内の時刻を示す軸である。図９（ａ）は、記録装置１００に記録されたコンテンツを示す。図９（ａ）に示すように、上述した第１期間と第２期間に加え、記録装置１００に記録されたコンテンツが再生される期間と再生されていない期間と、によって分けられるコンテンツの各部分を、時系列順に、Ｃ１、Ｃ２、Ｃ３、Ｃ４…と呼ぶ。また、以下の説明では、記録装置１００に記録されたコンテンツが再生される期間を「第３期間」と、再生されていない期間を「第４期間」と呼ぶ。
【００４７】
図９（ｂ）と図９（ｃ）は、それぞれ図２（ｂ）と図２（ｃ）を参照して説明した例と同様である。すなわち、図９（ｂ）は、記録装置１００がコンテンツを受信しながら記録した期間を示す。また、図９（ｃ）は、記録装置１００がコンテンツを記録している期間に、記録装置１００が記録したコンテンツと同一のコンテンツを、表示装置２００が表示した期間を示す。
図９（ｄ）は、記録装置１００に記録されたコンテンツを、記録装置２００が再生する期間を示す。図９（ｄ）に示す例では、記録されたコンテンツのうち、コンテンツ再生がＯＮとなる期間ｔ１〜ｔ４の部分を、記録装置１００が再生したことを示す。また、記録されたコンテンツのうち、コンテンツ再生がＯＦＦとなる期間ｔ０〜ｔ１と期間ｔ４〜ｔ３の部分を、記録装置１００が再生していないことを示す。よって、図９（ｄ）に示す例では、期間ｔ１〜ｔ４の一つの第３期間があり、期間ｔ０〜ｔ１と期間ｔ４〜ｔ３の二つの第４期間がある。ここで、ｔ０＜ｔ１＜ｔ４＜ｔ２＜ｔ３とする。
【００４８】
記録装置１００は、記録されたコンテンツが再生される期間（第３期間）と再生されていない期間（第４期間）とを示す情報（以下、「第２情報」と呼ぶ。）を生成する。図９（ｄ）に示す例では、第２情報は、期間ｔ１〜ｔ４が第３期間であり、期間ｔ０〜ｔ１と期間ｔ４〜ｔ３がそれぞれ第４期間であることを示す情報を含む。記録装置１００は、例えば、記録されたコンテンツが再生されるまでは、期間ｔ０〜ｔ３を第４期間として設定する。そして、記録されたコンテンツの一部が再生されると、再生された期間を第３期間に、それ以外の期間を第４期間に設定し直すことにより、第２情報を生成することができる。生成された第２情報は、コンテンツに関連付けられて、記録装置１００に記録される。
【００４９】
次に、図１０を参照して、図９に関連付けたコンテンツの処理方法の一例を説明する。図１０は、記録装置１００に記録されたコンテンツの一部を記録装置１００が再生した後に、ユーザがコンテンツの編集を行うフローを示す。なお、上述した実施形態と同様、図９（ｂ）に示すように、記録されたコンテンツは、期間ｔ０〜ｔ３において、コンテンツは記録装置１００に記録されたものである。また、図９（ｃ）に示すように、記録されたコンテンツと同一のコンテンツが、期間ｔ０〜ｔ１と期間ｔ２〜ｔ３において、表示装置２００によって表示されたものである。以下、コンテンツが記録装置１００に記録された後に、記録装置１００がコンテンツを処理する方法を説明する。
【００５０】
まず、記録装置１００は、記録されたコンテンツを再生する（ステップＳ２１）。本実施形態では、図９（ｄ）を参照して説明したように、記録されたコンテンツのうち、期間ｔ１〜ｔ４の部分を再生する。そして、記録装置１００は、再生する部分のコンテンツの映像データを表示装置２００に出力する（ステップＳ２２）。そして、表示装置２００は、記録装置１００からのコンテンツの映像データを取得し、コンテンツを表示する（ステップＳ２３）。
【００５１】
また、記録装置１００は、記録されたコンテンツが再生される第３期間と再生されていない第４期間とを示す情報（第２情報）を生成する（ステップＳ２４）。通常、ステップＳ２１〜Ｓ２４は、ほぼ同時並行で行われる。
記録装置１００は、記録されたコンテンツの時刻ｔ１の部分からコンテンツを再生し、時刻ｔ４の部分まで再生すると、コンテンツの再生を終了する（ステップＳ２５）。そして、記録装置１００は、生成された第２情報をコンテンツと関連付けて記録する（ステップＳ２６）。
【００５２】
その後、記録装置１００は、ユーザの指示入力に従い、記録装置１００に記録され、その一部が再生されたコンテンツの編集を開始する（ステップＳ２７）。記録装置１００は、コンテンツの編集作業が開始すると、まず、ユーザがコンテンツに対して行う処理を選択する画面を、表示装置２００に表示させる。ここでは、図４を参照して説明した処理と同様の処理を行う。
【００５３】
次に、記録装置１００は、第１情報と第２情報を用いて、図９（ａ）を参照して説明したコンテンツの各部分Ｃ１〜Ｃ４に対して、記録装置１００から削除するか否かをユーザが選択するための画面（選択画面）のデータを生成する（ステップＳ２８）。そして、記録装置１００は、選択画面のデータを表示装置２００に出力する（ステップＳ２９）。
【００５４】
表示装置２００は、記録装置１００から選択画面のデータを取得し、選択画面を表示する（ステップＳ３０）。ここで、図１１を参照して、表示装置２００が表示する選択画面について説明する。図１１は、表示装置２００が表示する選択画面の一例を示す。図１１に示す例では、記録装置１００からコンテンツの一部を削除する場合に、ユーザが削除する部分を選択する。本実施形態では、記録装置１００がコンテンツに関連付けて、第１情報と第２情報を記録するため、ユーザは、コンテンツの期間ｔ０〜ｔ１、期間ｔ１〜ｔ４、期間ｔ４〜ｔ２、期間ｔ２〜ｔ３の各部分に対して、記録装置１００から削除するか否かを選択することができる。
そして、記録装置１００は、ユーザが選択したコンテンツの部分の削除処理を行う（ステップＳ３１）。例えば、図１１に示す例のように、ユーザが第１期間である期間ｔ０〜ｔ１と第３期間である期間ｔ１〜ｔ４とを選択した場合、記録装置１００は、コンテンツのうち期間ｔ０〜ｔ４の部分のみを削除し、期間ｔ４〜ｔ３の部分を記録装置１００に残す。
【００５５】
以上説明したように、本実施形態のコンテンツの処理方法では、記録装置１００が第１情報と第２情報をコンテンツに関連付けて記録する。そのため、本実施形態のコンテンツの処理方法では、コンテンツの中で、コンテンツの記録を行いながらユーザが既に視聴した部分や、記録されたコンテンツを再生することによりユーザが視聴した部分を、記録装置１００が特定することができる。そして、記録装置１００は、第１情報と第２情報を用いて、選択画面を表示装置２００に表示させる。そのため、コンテンツの記録を行いながらユーザが既に視聴した部分や、記録されたコンテンツを再生することによりユーザが視聴した部分を、ユーザ自身が特定する必要がない。
よって、本実施形態のコンテンツの処理方法によれば、記録されたコンテンツの一部を再生してユーザが視聴し、そのコンテンツをユーザが編集する作業において、ユーザの負担を低減することができる。
【符号の説明】
【００５６】
１００  記録装置
１０２  アンテナ
１０４  受信部
１０６  記憶部
１０８  ディスクドライブ装置
１１０  映像インターフェース
１１２  制御部
１１４  入力部
１２０  記録媒体
１５０  バス
２００  表示装置
【図１】
2011001468.tif 000003
【図２】
2011001468.tif 000004
【図３】
2011001468.tif 000005
【図４】
2011001468.tif 000006
【図５】
2011001468.tif 000007
【図６】
2011001468.tif 000008
【図７】
2011001468.tif 000009
【図８】
2011001468.tif 000010
【図９】
2011001468.tif 000011
【図１０】
2011001468.tif 000012
【図１１】
2011001468.tif 000013
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
コンテンツを受信し、前記コンテンツを記録装置に記録する工程と、
前記コンテンツが記録される期間において、前記コンテンツが表示装置に表示される第１期間と表示されない第２期間とを示す第１情報を、前記コンテンツに関連付けて記録する工程と、
第１情報を用いて、記録された前記コンテンツの一部に対して、前記コンテンツの一部の削除処理、又は、前記コンテンツの一部の記録媒体への書き込み処理、を含む複数の処理のいずれかの処理を行う対象として、第１期間、及び／又は、第２期間のいずれかを選択するための選択画面を前記表示装置に表示する表示工程と、
を有するコンテンツの処理方法。
【請求項２】
前記記録装置に記録された前記コンテンツを再生する工程と、
前記コンテンツが再生された第３期間と再生されていない第４期間とを示す第２情報を、前記コンテンツに関連付けて記録する工程と、を有し、
前記表示工程は、更に、第２情報を用いて、前記複数の処理のいずれかの処理を行う対象として、第３期間、及び／又は、第４期間のいずれかを選択するための選択画面を前記表示装置に表示する、請求項１に記載のコンテンツの処理方法。
【請求項３】
前記表示工程は、記録された前記コンテンツの一部に対して、前記複数の処理のいずれかの処理を行う対象として、全ての第１期間、又は、全ての第２期間を一括して選択するための選択画面を前記表示装置に表示する、請求項１又は２に記載のコンテンツの処理方法。
【請求項４】
前記表示工程は、記録された前記コンテンツの一部に対して、前記複数の処理のいずれかの処理を行う対象として、全ての第３期間、又は、全ての第４期間を一括して選択するための選択画面を前記表示装置に表示する、請求項２又は３に記載のコンテンツの処理方法。
【請求項５】
表示装置に接続可能な記録装置であって、
コンテンツを受信する受信部と、
前記コンテンツを記録するとともに、前記コンテンツが記録される期間において、前記
コンテンツが前記表示装置に表示される第１期間と表示されない第２期間とを示す第１情報を、前記コンテンツに関連付けて記録する記録部と、
第１情報を用いて、記録された前記コンテンツの一部に対して、前記コンテンツの一部の削除処理、又は、前記コンテンツの一部の記録媒体への書き込み処理、を含む複数の処理のいずれかの処理を行う対象として、第１期間、及び／又は、第２期間のいずれかを選択するための選択画面を、前記表示装置に表示するように制御する制御部と、
を有する記録装置。
【請求項６】
前記記録部は、更に、前記記録装置に記録された前記コンテンツが再生された第３期間と再生されていない第４期間とを示す第２情報を、前記コンテンツに関連付けて記録し、
前記制御部は、更に、第２情報を用いて、前記複数の処理のいずれの処理を行う対象として、第３期間、及び／又は、第４期間のいずれかを選択するための選択画面を、前記表示装置に表示するように制御する、請求項５に記載の記録装置。
【請求項７】
前記制御部は、記録された前記コンテンツの一部に対して、前記複数の処理のいずれかの処理を行う対象として、全ての第１期間、又は、全ての第２期間を一括して選択するための選択画面を前記表示装置に表示するように制御する、請求項５又は６に記載の記録装置。
【請求項８】
前記制御部は、記録された前記コンテンツの一部に対して、前記複数の処理のいずれかの処理を行う対象として、全ての第３期間、又は、全ての第４期間を一括して選択するための選択画面を前記表示装置に表示するように制御する、請求項６又は７に記載の記録装置。
【請求項９】
表示装置に接続可能な記録装置内のコンピュータに、前記記録装置が受信するコンテンツの処理を実行させるためのプログラムであって、
受信するコンテンツを前記記録装置に記録する手順と、
前記コンテンツが記録される期間において、前記コンテンツが前記表示装置に表示される第１期間と表示されない第２期間とを示す第１情報を、前記コンテンツに関連付けて前記記録装置に記録する手順と、
第１情報を用いて、記録された前記コンテンツの一部に対して、前記コンテンツの一部の削除処理、又は、記録された前記コンテンツの一部の記録媒体への書き込み処理、を含む複数の処理のいずれかの処理を行う対象として、第１期間、及び／又は、第２期間のいずれかを選択するための選択画面を前記表示装置に表示する表示手順と、
を含むプログラム。
【国際調査報告】
2011001468.tif 000014
2011001468.tif 000015
2011001468.tif 000016
2011001468.tif 000017